(57)【要約】【課題】煎出プロセスの容易化及び促進を助成するべくインフューザーを振動させ得る蓋アセンブリを提供することである。【解決手段】カバー１０８が外側カバー容器ネジ溝３０８をリング容器ネジ溝２２２に螺入させることで蓋リング１０６に装着及び固定される。インフューザー１１０を装着したカバー１０８を螺装させるに際し、カバー及びインフューザーが回転し、液体への浸漬中におけるインフューザーの回転がウェル１１２内の中身と液体との間に攪拌または混合効果を創出し、かくして液体が、インフューザーを回転させない場合よりもずっと高速でウェル１１２に関して出入りし、煎出プロセスが容易化またはスピードアップされ得る。【選択図】図１
2011056254.tif 000002
【特許請求の範囲】
【請求項１】
蓋アセンブリであって、
液体保持用のピッチャーのリムに着脱自在に固定し得る蓋リングと、
該蓋リングに着脱自在に固定し得るカバーと、
該カバーに着脱自在に固定し得るインフューザーにして、前記カバーに着脱自在に固定するに際し、前記蓋リングへの前記カバー装着時は第１方向に回転し、前記蓋リングからの前記カバーの取り外し時には第２方向に回転するインフューザーと、
を含む蓋アセンブリ。
【請求項２】
前記蓋リングが注ぎ口及びハンドルを含み、該ハンドルが前記注ぎ口から前記蓋リングの直径位置で対向する請求項１の蓋アセンブリ。
【請求項３】
前記カバーが、該カバーの外側表面上に配置した矩形ループ状のカバーハンドルを更に含む請求項１の蓋アセンブリ。
【請求項４】
前記カバーがカバースカートを含み、該カバースカートが、前記蓋リング上に配置した一組のリングネジ溝と合致する形態を有する一組の外側カバーネジ溝を含む請求項１の蓋アセンブリ。
【請求項５】
前記カバーが、中空空間を画定するカバースカートを含み、該カバースカートの内側表面が、前記インフューザーのリム上に配置した一組のインフューザーネジ溝と合致する形態を有する一組の内側カバーネジ溝を含む請求項１の蓋アセンブリ。
【請求項６】
前記インフューザーが、前記ウェルへの液体流入を許容する孔を画定するフィルタを含む請求項１の蓋アセンブリ。
【請求項７】
前記インフューザーが、一回充填量分の飲料風味剤を受けるウェルを含む請求項１の蓋アセンブリ。
【請求項８】
前記カバーが、前記インフューザーが前記カバーに装着されない時は前記蓋リングに着脱自在に固定され得る請求項１の蓋アセンブリ。
【請求項９】
前記蓋リングがガスケットを更に含む請求項１の蓋アセンブリ。
【請求項１０】
前記カバーがＯ−リングを更に含む請求項１の蓋アセンブリ。
【請求項１１】
蓋アセンブリであって、
液体保持用のピッチャーのリムに着脱自在に固定し得る蓋リングと、
該蓋リングに着脱自在に固定し得るカバーと、
該カバーに着脱自在に固定し得るインフューザーにして、一回充填量分の飲料風味剤を受けるウェルを含み、前記カバーに装着した該インフューザーが、前記カバーを前記蓋リング上に第１方向において螺着させる時は第１方向に回転し、前記カバーを第２方向において前記蓋リングから螺脱させる時は第２方向に回転する蓋アセンブリ。
【請求項１２】
前記蓋リングが注ぎ口及びハンドルを含み、該ハンドルが前記蓋リングの直径位置で前記注ぎ口と対向する請求項１１の蓋アセンブリ。
【請求項１３】
前記カバーが、該カバーの外側表面上に配置した矩形ループ状のカバーハンドルを更に含む請求項１１の蓋アセンブリ。
【請求項１４】
前記カバーがカバースカートを含み、該カバースカートが、前記蓋リング上に配置した一組のリングネジ溝と合致する形態を有する一組の外側カバーネジ溝を含む請求項１１の蓋アセンブリ。
【請求項１５】
前記カバーが、中空空間を画定するカバースカートを含み、該カバースカートの内側表面が、前記インフューザーのリム上に配置した一組のインフューザーネジ溝と合致する形態を有する一組の内側カバーネジ溝を含む請求項１１の蓋アセンブリ。
【請求項１６】
前記インフューザーが、前記ウェルへの液体流入を許容する孔を画定するフィルタを含む請求項１１の蓋アセンブリ。
【請求項１７】
前記カバーが、前記インフューザーが前記カバーに装着されない時は前記蓋リングに着脱自在に固定され得る請求項１１の蓋アセンブリ。
【請求項１８】
前記蓋リングがガスケットを更に含み、前記カバーがＯ−リングを更に含む請求項１１の蓋アセンブリ。
【請求項１９】
蓋アセンブリであって、
蓋リングにして、注ぎ口と、該蓋リングの直径位置で該注ぎ口と対向するハンドルとを有し、該蓋リング上に配置した内側ネジ溝を含み、液体保持用のピッチャーのリムに着脱自在に固定し得る蓋リングと、
カバーにして、該カバーの外側表面上に配置したカバーハンドルと、その外側表面上に配置した外側カバーネジ溝を含むカバースカートにして、前記外側カバーネジ溝が、該カバーを前記蓋リング上に配置したリングネジ溝に螺合させる形態を有し、該カバースカートの内側表面上に配置した内側カバーネジ溝を含むカバースカートと、を含むカバーと、
前記内側カバーネジ溝と螺合する形態を有するインフューザーネジ溝を含むインフューザーにして、一回充填量分の飲料風味剤を受けるウェルを含み、前記カバーに装着したインフューザーが、前記カバーを第１方向において前記蓋リング上に螺着させる時は第１方向に回転し、前記カバーを前記蓋リングから第２方向において螺脱させる時は第２方向に回転するインフューザーと、
を含む蓋アセンブリ。
【請求項２０】
前記インフューザーが孔を画定するフィルタを含み、該インフューザーを第１方向又は第２方向に回転させると、液体が、前記インフューザーを第１及び第２の各方向に回転させない場合よりも高速で該フィルタ内の孔を通して前記ウェルに流入及びウェルから排出される請求項１９の蓋アセンブリ。
【発明の詳細な説明】
【技術分野】
【０００１】
本発明は、飲料の製造及び分与ピッチャーに関し、詳しくは、浸出飲料製造用のインフューザーを含む容器に関する。
【背景技術】
【０００２】
茶その他の浸出飲料は通常、ポットに入れた茶葉に近沸騰水を注ぐことにより淹れる。代表的には、煎出中に茶葉を閉じ込めておく、インフューザーとして既知の篩またはストレーナーを設けることが知られている。
【０００３】
残念なことに、インフューザーを用いる飲料容器では、煎出プロセスの容易化及び促進を助成させるべくインフューザーを振動させることができない。また、これら容器には、煎出中に容器内容物をこぼさないまたは冷まさないために蓋を使用しつつ、この蓋からインフューザーを取り外す手段が無い。
【発明の概要】
【発明が解決しようとする課題】
【０００４】
煎出プロセスの容易化及び促進を助成するべくインフューザーを振動させ得る蓋アセンブリを提供することである。
【課題を解決するための手段】
【０００５】
本発明の１様相において、液体保持用のピッチャーのリムに着脱自在に固定し得る蓋リングを含む蓋アセンブリが提供される。蓋アセンブリは、蓋リングに着脱自在に固定し得るカバーと、このカバーに着脱自在に固定し得るインフューザーと、をも含む。カバーに着脱自在に固定したインフューザーは、カバーを蓋リングに装着する際は第１方向に、カバーを蓋リングから取り外す際は第２方向に回転する。
【０００６】
他の様相において、蓋アセンブリが提供され、この蓋アセンブリが、液体保持用のピッチャーのリムに着脱自在に固定し得る蓋リングと、この蓋リングに着脱自在に固定し得るカバーと、このカバーに着脱自在に固定し得るインフューザーと、を含んでいる。一回充填量分の飲料風味剤を受けるウェルを含むインフューザーがカバーに装着され、このインフューザーが、カバーを第１方向において蓋リング上に螺装すると第１方向に回転し、カバーを第２方向において蓋リングから取り外すと第２方向に回転する。
【０００７】
更に別の様相において、注ぎ口と、前記蓋リングの直径位置でこの注ぎ口と対向して位置決めしたハンドルとを有する蓋リングを含む蓋アセンブリが提供される。蓋リングは、液体保持用のピッチャーのリムに着脱自在に固定し得る蓋リング上に配置した内側容器ネジ溝をも含む。蓋アセンブリは、カバーの外側表面上に配置したカバーハンドルと、カバースカートとをも含み、カバースカートが、その外側表面上に配置した外側カバー容器ネジ溝にして、蓋リング上に配置したリング容器ネジ溝を覆って螺着する形態を有する外側カバー容器ネジ溝を含んでいる。カバースカートは、カバースカートの内側表面上に配置した内側カバー容器ネジ溝をも含む。
【０００８】
蓋アセンブリにはインフューザーが含まれ、このインフューザーが、内側カバー容器ネジ溝と螺合する形態を有するインフューザー容器ネジ溝を有する。インフューザーは一回充填量分の飲料風味剤を受けるウェルを含み、カバーに取り付けられ、カバーを第１方向において蓋リング上に螺装すると第１方向に回転し、カバーを第２方向において蓋リングから取り外すと第２方向に回転する。
【発明の効果】
【０００９】
煎出プロセスの容易化及び促進を助成するべくインフューザーを振動させ得る蓋アセンブリが提供される。
【図面の簡単な説明】
【００１０】
【図１】図１は、本発明の１実施例に従う容器アセンブリの分解斜視図である。
【図２Ａ】図２Ａは、本発明の１実施例に従う蓋アセンブリの蓋リング部品の平面図である。
【図２Ｂ】図２Ｂは、本発明の１実施例に従う蓋アセンブリの蓋リング部品の底面図である。
【図２Ｃ】図２Ｃは、図２Ｂの部分断面図である。
【図３】図３は、本発明の１実施例に従う着脱自在のインフューザーを含むカバーの分解及び部分破除した部側面図である。
【発明を実施するための形態】
【００１１】
図１には本発明の１実施例に従う容器アセンブリ１００の分解斜視図が示される。本容器アセンブリ１００は、ピッチャー、ジャグ、ポット、またはボトル１０２（以下、ピッチャー１０２とも称する）等の、蓋リング１０６、カバー１０８、インフューザー１１０、を含む蓋アセンブリ１０４を有する容器を含む。
【００１２】
ピッチャー１０２は、容器から流出させ得る、例えば、液体または粉末であるところの物質の保持または収納に使用する容積を画定する容器胴部１０３を含む。これに限定しないが、容器胴部１０３は該容器胴部に連続する上方縁部またはリム１０５位置で終端する、全体に円形、楕円、または矩形の断面を有する。リム１０５は、ピッチャー１０２の円形の開放頂部１０９を画定する。ある実施例ではピッチャー１０２を蓋、例えば、再閉鎖自在の蓋１００に取付け及び固定する容器ネジ溝１０７をリムに形成し得る。
【００１３】
或いはピッチャーは、ピッチャー１０２の頂部リムが、リム１０５を受ける構成とした蓋アセンブリ１０４の相当部に嵌入し得る構成を有し得る。
１実施例において、インフューザー１１０は上方リム１１３から底壁１１７まで所定長さにおいて下方に伸延するウェル１１２を含む。ウェル１１２は一般に茶葉その他を収納する。ピッチャー１０２内に配置した液体はフィルター部１１９を通してウェル１１２に入る。
【００１４】
図２Ａ及び図２Ｂには、本発明の１実施例に従う蓋アセンブリ１０４の蓋リング１０６の平面図及び底面図が夫々示される。図２Ａ及び図２Ｂに示すように、蓋リング１０６は、管状の開口を画定する側壁１１４（図１）を提供する全体に円筒状の胴部を含む。蓋リング１０６は、ピッチャー１０２と、蓋アセンブリ１０４との間の主たる連結インターフェースを提供する。図２Ａに示すように、蓋リング１０６は、この蓋リング１０６の円周方向においてリム２０４上に形成した注ぎ口２０２を含む。注ぎ口２０２は、側壁１１４の外側表面上に形成したハンドル２０６と前記蓋リングの直径位置で対向する。
【００１５】
図１、２Ａ、２Ｂ、２Ｃを参照するに、蓋リング１０６が、カバー１０８を蓋リング１０６に固定した場合にカバーの座部を提供するリップ部２０８を含んでいる。図２Ｃに示すように、フランジ部２１０がリップ部２０８の内側縁部２１２から垂直下方に伸延する。リップ部２０８とフランジ部２１０とが、ピッチャー１０２の、フランジ部２１０と側壁１１４の内側表面との間に、リム１０５を受ける形態に形成した座着エリア２１４を創出する。
【００１６】
１実施例において、側壁１１４の座着エリア２１４内に、ピッチャー１０２のリム１０５上に形成した容器ネジ溝１０７と螺合して蓋リング１０６をピッチャー１０２に着脱自在に固定する内側容器ネジ溝２１６を形成し得る。１実施例では蓋リング１０６をピッチャー１０２にシール状態下に確実に合致させるガスケット２２０を座着エリア２１４内に位置決めし得る。
【００１７】
フランジ部２１０は、座着エリア２１４の内側において、以下に説明するカバー１０８との螺合を提供するリング容器ネジ溝２２２を形成し且つ位置決めする表面を提供する。
図３にはカバー１０８の分解図が示され、本発明の１実施例に従う着脱自在のインフューザー１１０を含んでいる。１実施例ではカバー１０８は、頂部表面３０４に形成したカバーハンドル３０２を含む。１実施例ではカバーハンドルは、カバーの外側表面上に形成した矩形ループと類似する。頂部表面３０４の下方に隣り合う位置には、Ｏ−リング式ガスケット３０６を保持する形態の溝が設けられる。Ｏ−リング式ガスケット３０６は、カバー１０８を蓋リング１０６に連結した場合にカバー１０８と蓋リング１０６との間にポジティブシールを提供する。
【００１８】
カバー１０８はカバースカート３１０を含み、このカバースカート３１０は頂部表面３０４とは反対側で、カバーハンドル３０２から離間する方向において下方に伸延する。図３に部分破除して示すように、カバースカート３１０は、以下に説明する如くインフューザー１１０を受ける形態を有する中空空間３１２を画定する。
【００１９】
カバースカート３１０は、リング容器ネジ溝２２２と螺合する形態において形成した一組の外側カバー容器ネジ溝３０８にして、カバー１０８との螺合を提供する外側カバー容器ネジ溝３０８をその外側表面に含む。
中空空間３１２の内部には、カバースカート３１０の内側表面上で頂部表面３０４と全体に隣り合う一組の内側カバー容器ネジ溝３１４が形成される。内側カバー容器ネジ溝３１４は、カバー１０８を、インフューザー１１０の上方リム１１３位置に設けた、相当するインフューザー容器ネジ溝１１５に係合させる手段を提供する。これにより、インフューザー１１０をカバー１０８に着脱自在に固定させ得る。
【００２０】
図１〜３を参照するに、ユーザーは使用する蓋アセンブリ１０４を任意の所望の順序で組み立て得る。以下に、蓋アセンブリ１０４の組み立ての１例を示す。先ず、蓋リング１０６の容器ネジ溝２１６をピッチャー１０２のリム１０５の容器ネジ溝１０７に螺合させてピッチャー１０２を蓋リング１０６に締着させ得る。
次いで、着脱自在のインフューザー１１０を中空空間３１２内の内側カバー容器ネジ溝３１４上に螺合させてこのインフューザーをカバー１０８に装着する。ウェル１１２はカバー１０８の中央から下方に伸延する。
【００２１】
連結したカバー１０８とインフューザー１１０とを、蓋リング１０６を装着したピッチャー１０２にその開放頂部１０９を通して挿入させ得る。一般に、液体を充填したピッチャー１０２にインフューザー１１０を挿入するとウェル１１２の底部が液体表面下に浸漬される。浸漬深さはインフューザーのウェルの所定長さと液体深さとに依存する。ウェル１１２のフィルター部１１９の各孔が、ウェル１１２を通しての液体循環と、ウェル内の任意の内容物との接触とを許容する。
【００２２】
１実施例において、カバー１０８は外側カバー容器ネジ溝３０８をリング容器ネジ溝２２２に螺入させることにより蓋リング１０６に装着及び固定させ得る。インフューザー１１０を装着したカバー１０８を螺装させるに際し、カバー及びインフューザーが、例えば、図１に矢印１２０で表す如く回転せしめられるのが有益である。回転は、カバーの開放または閉鎖に依存して時計回りまたは反時計回りとなる。この回転により、インフューザー１１０は液体への浸漬中に回転してウェル１１２内の中身と液体との間に攪拌または混合効果を創出する。かくして、回転するインフューザー１１０が液体を、インフューザーを回転させない場合よりもずっと高速でウェル１１２に関して出入りさせ、かくして煎出プロセスを容易化またはスピードアップさせ得る。
【００２３】
カバー１０８を蓋リング１０６に完全に螺装しない場合はカバーは蓋リングにはシールされない。かくして、ピッチャー１０２から注ぎ口２０２を介して液体を注ぎ出し得る。カバー１０８を蓋リング１０６に完全に螺装させるとＯ−リング式ガスケット３０６がリップ部２０８上に座着し、ピッチャー１０２から液体を注ぎ出せない。
【００２４】
１実施例では、ユーザーは飲料が所望の濃さに煎出されたと判断した場合、蓋リング１０６からカバー１０８を取り外し、かくして液体からインフューザー１１０を取り外し得る。次いでユーザーはカバー１０８を取り外し得る。その後ユーザーはカバー１０８を蓋アセンブリ１０４に戻してピッチャー１０２内の飲料用のカバーとしての作用を継続させ得る。
以上、本発明を実施例を参照して説明したが、本発明の内で種々の変更をなし得ることを理解されたい。
【符号の説明】
【００２５】
１０  カバー
１００  容器アセンブリ
１０２  ピッチャー
１０３  容器胴部
１０４  蓋アセンブリ
１０５  リム
１０６  蓋リング
１０７  容器ネジ溝
１０８  カバー
１０９  開放頂部
１１０  インフューザー
１１２  ウェル
１１３  上方リム
１１４  側壁
１１５  インフューザーネジ溝
１１７  底壁
１１９  フィルター部
２０２  注ぎ口
２０６  ハンドル
２０８  リップ部
２１０  フランジ部
２１２  内側縁部
２１４  座着エリア
２１６  内側ネジ溝
２２０  ガスケット
２２２  リングネジ溝
３０２  カバーハンドル
３０４  頂部表面
３０６  Ｏ−リング式ガスケット
３０８  外側カバーネジ溝
３１０  カバースカート
３１２  中空空間
３１４  内側カバーネジ溝
【図１】
2011056254.tif 000003
【図２Ａ】
2011056254.tif 000004
【図２Ｂ】
2011056254.tif 000005
【図２Ｃ】
2011056254.tif 000006
【図３】
2011056254.tif 000007